(57)【特許請求の範囲】
【請求項１】
床に配置されるフレームであって、ウォール・ビーム、ヘッダ・フレーム、及び前記ウォール・ビームと前記ヘッダ・フレームに固定された複数のポストによって形成され、前記ヘッダ・フレームが前記フレームの幅を延長し、前記ウォール・ビームが前記フレームの長さを延長する前記フレームと、
前記床から前記ウォール・ビームの１つへ延在する複数のブランキング・パネルであって、頂部、底部、第一側部及び第２側部を有する前記複数のブランキング・パネルと、
各ブランキング・パネルの前記第一側部及び前記第２側部の少なくとも一方に沿って配置された鉛直スチフナと、
を備える通路密閉システムであって、
各ブランキング・パネルが前記フレームの前記長さに沿って隣接ブランキング・パネルに部分的に重なり、前記ブランキング・パネルが、前記通路密閉システムの開口を塞ぐように側方へ調節され、
前記ウォール・ビームの１つに固定されたパネル・クランプを備え、前記パネル・クランプが、前記パネル・クランプを前記ウォール・ビームの１つに固定する締結具を受けるための開口を有する第１端部と、第２端部と、を有し、
前記パネル・クランプが、前記ブランキング・パネルを受けるために、前記ウォール・ビームの１つと前記パネル・クランプとの間にスロットを画定し、
前記パネル・クランプの第２端部が、角度付きフランジを有し、前記角度付きフランジが、前記通路密閉システムの前記ブランキング・パネルと前記パネル・クランプとの間の開口を密閉するフラップ・シールを受ける、通路密閉システム。
【請求項２】
各鉛直スチフナが、前記ブランキング・パネルを調節するハンドルを提供するための外方延在フランジを有する、請求項１に記載の通路密閉システム。
【請求項３】
隣接ブランキング・パネルの前記外方延在フランジが、反対方向へ延在する、請求項２に記載の通路密閉システム。
【請求項４】
前記鉛直スチフナが、各ブランキング・パネルの前記第一側部及び前記第２側部に沿って配置される、請求項１に記載の通路密閉システム。
【請求項５】
前記ウォール・ビームの下の前記床に配置された床チャネルをさらに備え、各ブランキング・パネルの底部が前記床チャネル内に配置されることによって、隣接ブランキング・パネルが、前記床チャネル内で相互に対して摺動する、請求項１に記載の通路密閉システム。
【請求項６】
前記フラップ・シールが第１の自由端及び第２端部を有し、前記第２端部が、前記パネル・クランプの前記第２端部にある前記角度付きフランジを受けるチャネルを含む、請求項１に記載の通路密閉システム。
【請求項７】
前記通路密閉システムの前記ウォール・ビームの下に設置された複数のキャビネット、及び、前記ウォール・ビームと前記キャビネットとの間の任意の開口を塞ぐために、前記複数のキャビネットの上方に設置された複数の調節可能なキャビネット上方ブランキング・パネルをさらに備える、請求項１に記載の通路密閉システム。
【請求項８】
各キャビネット上方ブランキング・パネルが、頂部、底部、第１側部及び第２側部を有し、前記キャビネット上方ブランキング・パネルの前記底部を受けるために、少なくとも１つのキャビネットの頂部にキャビネット・チャネルが固定される、請求項７に記載の通路密閉システム。
【請求項９】
各キャビネット上方ブランキング・パネルが、隣接するキャビネット上方ブランキング・パネルに部分的に重なり合い、前記キャビネット上方ブランキング・パネルが、前記キャビネットと前記ウォール・ビームとの間の開放空間を塞ぐように、前記キャビネット・チャネル内で相互に対して摺動する、請求項８に記載の通路密閉システム。
【請求項１０】
前記ウォール・ビーム間に延在する天井パネルをさらに備える、請求項１に記載の通路密閉システム。
【請求項１１】
通路密閉システムであって、
第１端部及び第２端部、前記第１端部及び前記第２端部のそれぞれに配置された２つのポスト、フレームの幅を延長するヘッダ・フレーム、並びに前記フレームの長さを延長するウォール・ビームを有するフレームであって、前記ヘッダ・フレーム及び前記ウォール・ビームが前記ポストに固定された前記フレームと、
前記フレーム内に配置された複数のキャビネットと、
前記通路密閉システムの開口を塞ぐために前記キャビネットに隣接して配置された複数のブランキング・パネルであって、前記ブランキング・パネルが床から前記ウォール・ビームの１つへ延在し、頂部、底部、第１側部及び第２側部を有し、各ブランキング・パネルの前記第１側部及び前記第２側部の少なくとも一方に沿って鉛直スチフナが配置され、各ブランキング・パネルが、隣接ブランキング・パネルに部分的に重なり合い、前記ブランキング・パネルが、前記通路密閉システムの開口を塞ぐように側方へ調節される前記複数のブランキング・パネルと、
前記ウォール・ビームの１つに固定されたパネル・クランプであって、前記パネル・クランプが、前記パネル・クランプを前記ウォール・ビームの１つに固定する締結具を受けるための開口を有する第１端部と、第２端部と、を有する、パネル・クランプと、
を備え、
前記固定されたパネル・クランプが、前記ウォール・ビームの１つと前記パネル・クランプとの間に、前記ブランキング・パネルを受けるためのスロットを画定し、
前記パネル・クランプの第２端部が、角度付きフランジを有し、前記角度付きフランジが、前記通路密閉システムの前記ブランキング・パネルと前記パネル・クランプとの間の開口を密閉するようにフラップ・シールを受ける、通路密閉システム。
【請求項１２】
各鉛直スチフナが、前記ブランキング・パネルを調節するハンドルを提供するための外方延在フランジを有し、隣接ブランキング・パネルの前記外方延在フランジが、反対方向へ延在する、請求項１１に記載の通路密閉システム。
【請求項１３】
前記鉛直スチフナが、各ブランキング・パネルの前記第１側部及び前記第２側部に沿って配置される、請求項１１に記載の通路密閉システム。
【請求項１４】
前記ウォール・ビームの下の前記床に配置された床チャネルをさらに備え、各ブランキング・パネルの底部が前記床チャネル内に配置されることによって、隣接ブランキング・パネルが、前記床チャネル内で相互に対して摺動する、請求項１１に記載の通路密閉システム。
【請求項１５】
フラップ・シールが、第１の自由端及び第２端部を有し、前記第２端部が、前記パネル・クランプの前記第２端部にある角度付きフランジを受けるチャネルを含む、請求項１１に記載の通路密閉システム。
【請求項１６】
前記ウォール・ビームと前記キャビネットとの間の任意の開口を塞ぐために、前記複数のキャビネットの上方に設置された複数の調節可能なキャビネット上方ブランキング・パネルをさらに備える、請求項１１に記載の通路密閉システム。
【請求項１７】
各キャビネット上方ブランキング・パネルが、頂部、底部、第１側部及び第２側部を有し、キャビネット上方ブランキング・パネルの前記底部を受けるために、少なくとも１つのキャビネットの頂部にキャビネット・チャネルが固定され、各キャビネット上方ブランキング・パネルが、隣接キャビネット上方ブランキング・パネルに部分的に重なり合い、前記キャビネット上方ブランキング・パネルが、前記キャビネットと前記ウォール・ビームとの間の開放空間を塞ぐために、前記キャビネット・チャネル内で相互に対して摺動する、請求項１６に記載の通路密閉システム。
【請求項１８】
前記ウォール・ビーム間で延在する天井パネルをさらに備える、請求項１１に記載の通路密閉システム。
【請求項１９】
通路密閉システムであって、
第１端部及び第２端部、前記第１端部及び前記第２端部のそれぞれに配置された２つのポスト、フレームの幅を延長するヘッダ・フレーム、並びに前記フレームの長さを延長するウォール・ビームを有するフレームであって、前記ヘッダ・フレーム及び前記ウォール・ビームが前記ポストに固定された前記フレームと、
前記フレーム内に配置された複数のキャビネットと、
前記ウォール・ビームと前記キャビネットとの間の任意の開口を塞ぐために、前記複数のキャビネットの上方に設置された複数の調節可能なキャビネット上方ブランキング・パネルと、
前記ウォール・ビームの１つに固定されたパネル・クランプであって、前記パネル・クランプが、前記パネル・クランプを前記ウォール・ビームの１つに固定する締結具を受けるための開口を有する第１端部と、第２端部と、を有する、パネル・クランプと、
を備え、前記固定されたパネル・クランプが、前記キャビネット上方ブランキング・パネルを受けるために、前記ウォール・ビームの１つと前記パネル・クランプとの間にスロットを画定する、通路密閉システム。
【請求項２０】
パネルクランプの第二端部は角度付きフランジを有し、前記角度付きフランジが、前記通路密閉システムのブランキング・パネルと前記パネルクランプとの間の開口を密閉するフラップシールを受ける請求項１９に記載の通路密閉システム。
【請求項２１】
フラップ・シールが第１の自由端及び第２端部を有し、前記第２端部が、前記パネル・クランプの前記第２端部にある前記角度付きフランジを受けるチャネルを含む、請求項２０に記載の通路密閉システム。
【請求項２２】
各キャビネット上方ブランキング・パネルが、頂部、底部、第１側部及び第２側部を有し、キャビネット上方ブランキング・パネルの前記底部を受けるために、少なくとも１つのキャビネットの頂部にキャビネット・チャネルが固定され、各キャビネット上方ブランキング・パネルが、隣接キャビネット上方ブランキング・パネルに部分的に重なり合い、前記キャビネット上方ブランキング・パネルが、前記キャビネットと前記ウォール・ビームとの間の開放空間を塞ぐために、前記キャビネット・チャネル内で相互に対して摺動する、請求項１９に記載の通路密閉システム。
【請求項２３】
前記ウォール・ビーム間に延在する天井パネルをさらに備える、請求項１９に記載の通路密閉システム。
【請求項２４】
床に配置されるフレームであって、ウォール・ビーム、ヘッダ・フレーム、及び前記ウォール・ビームと前記ヘッダ・フレームに固定された複数のポストによって形成され、前記ヘッダ・フレームが前記フレームの幅を延長し、前記ウォール・ビームが前記フレームの長さを延長する前記フレームと、
前記床から前記ウォール・ビームの１つへ延在する複数のブランキング・パネルであって、各ブランキング・パネルが前記フレームの前記長さに沿って隣接ブランキング・パネルに部分的に重なり、前記ブランキング・パネルが、通路密閉システムの開口を塞ぐように側方へ調節される、複数のブランキング・パネルと、
前記ウォール・ビームの１つに固定されたパネル・クランプであって、前記パネル・クランプが、前記パネル・クランプを前記ウォール・ビームの１つに固定する締結具を受けるための開口を有する第１端部と、角度付きフランジを有する第２端部と、を有する、パネル・クランプと、
を備え、前記固定されたパネル・クランプが、前記ブランキング・パネルを受けるために、前記ウォール・ビームの１つと前記パネル・クランプとの間にスロットを画定する、通路密閉システム。
【請求項２５】
角度付きフランジが、前記通路密閉システムの前記ブランキング・パネルと前記パネル・クランプとの間の開口を密閉するようにフラップ・シールを受ける、請求項２４に記載の通路密閉システム。
【請求項２６】
フラップ・シールが、第１の自由端及び第２端部を有し、前記第２端部が、前記パネル・クランプの前記第２端部にある角度付きフランジを受けるチャネルを含む、請求項２４に記載の通路密閉システム。
【請求項２７】
前記ウォール・ビームの下の前記床に配置された床チャネルをさらに備え、各ブランキング・パネルの底部が前記床チャネル内に配置されることによって、隣接ブランキング・パネルが、前記床チャネル内で相互に対して摺動する、請求項２４に記載の通路密閉システム。
【請求項２８】
前記通路密閉システムの前記ウォール・ビームの下に設置された複数のキャビネット、及び、前記ウォール・ビームと前記キャビネットとの間の任意の開口を塞ぐために、前記複数のキャビネットの上方に設置された複数の調節可能なキャビネット上方ブランキング・パネルをさらに備える、請求項２４に記載の通路密閉システム。
【請求項２９】
各キャビネット上方ブランキング・パネルが、隣接するキャビネット上方ブランキング・パネルに部分的に重なり合い、前記キャビネット上方ブランキング・パネルが、前記キャビネットと前記ウォール・ビームとの間の開放空間を塞ぐように、相互に対して摺動する、請求項２８に記載の通路密閉システム。
【請求項３０】
前記ウォール・ビーム間に延在する天井パネルをさらに備える、請求項２４に記載の通路密閉システム。
【請求項３１】
床に配置されるフレームであって、ウォール・ビーム、ヘッダ・フレーム、及び前記ウォール・ビームと前記ヘッダ・フレームに固定された複数のポストによって形成される、フレームと、
前記床から前記ウォール・ビームの１つへ延在する複数のブランキング・パネルであって、頂部、底部、第一側部及び第２側部を有し、各ブランキング・パネルが前記フレームの長さに沿って隣接ブランキング・パネルに部分的に重なり、前記ブランキング・パネルが、通路密閉システムの開口を塞ぐように側方へ調節される、複数のブランキング・パネルと、
前記ウォール・ビームの１つに固定されたパネル・クランプであって、前記固定されたパネル・クランプが、前記ウォール・ビームの１つと前記パネル・クランプとの間に、前記ブランキング・パネルを受けるためのスロットを画定する、パネル・クランプと、
を備え、前記パネル・クランプが、第１端部と、第２端部と、を有し、前記パネル・クランプの第１端部が、前記ウォール・ビームの１つに調節可能に固定され、かつ前記パネル・クランプの第２端部が、角度付きフランジを有し、前記パネル・クランプの第１端部が、締結具を受けるための細長い開口を有して前記パネル・クランプを前記ウォール・ビームの１つに固定する、通路密閉システム。
【請求項３２】
各ブランキング・パネルの前記第一側部及び前記第２側部の少なくとも一方に沿って配置された鉛直スチフナをさらに備え、
各鉛直スチフナが、前記ブランキング・パネルを調節するハンドルを提供するための外方延在フランジを有する、請求項３１に記載の通路密閉システム。
【請求項３３】
隣接ブランキング・パネルの前記外方延在フランジが、反対方向へ延在する、請求項３２に記載の通路密閉システム。
【発明の詳細な説明】
【技術分野】
【０００１】
本発明は、通路密閉システムに関し、特に調節可能なブランキング・パネルを有する独立通路密閉システムに関する。
【発明の概要】
【課題を解決するための手段】
【０００２】
本発明は、調節可能なブランキング・パネルを有する通路密閉システムを対象とする。通路密閉システムは、ウォール・ビーム、ヘッダ・フレーム、並びにウォール・ビーム及びヘッダ・フレームに固定された複数のポストによって画定されたフレームを含む。ヘッダ・フレームはフレームの幅を延長し、ウォール・ビームはフレームの長さを延長する。複数のブランキング・パネルは、床からウォール・ビームの１つへ延在する。ブランキング・パネルは、頂部、底部、第１側部及び第２側部を有する。鉛直スチフナは、各ブランキング・パネルの第１側部及び第２側部の少なくとも一方に沿って配置される。各ブランキング・パネルは、フレームの全長に沿って隣接ブランキング・パネルに部分的に重なり合う。ブランキング・パネルは、必要に応じて、通路密閉システムの開口を塞ぐように側方へ調整される。
【０００３】
通路密閉システムはまた、フレーム内に配置された複数のキャビネットを含んでもよい。ブランキング・パネルは、通路密閉システムの開口を塞ぐために、キャビネットに隣接して配置される。
【０００４】
通路密閉システムはまた、複数の調節可能なキャビネット上方ブランキング・パネルを含んでもよい。キャビネット上方ブランキング・パネルは、ウォール・ビームとキャビネットとの間の任意の開口を塞ぐために、複数のキャビネットの上方に設置される。
【図面の簡単な説明】
【０００５】
【図１】本発明の独立通路密閉システムの斜視図である。
【図２】図１に示す通路密閉システムのフレームの斜視図である。
【図３】図２に示す通路密閉システムのフレームの一端の角部の斜視図である。
【図４】ポスト延長ブラケットを有する、図２に示す通路密閉システムのフレームの一端の角部を表す斜視図である。
【図５】引戸及びヘッダ・パネルを取り除いた、図１に示す独立通路密閉システムの斜視図である。
【図６】天井パネルを取り除いた、図５に示す独立通路密閉システムの右側斜視図である。
【図７】天井パネルを取り除いた、図５に示す独立通路密閉システムを表す左側斜視図である。
【図８】フレームの一部を取り除いた、図７に示す独立通路密閉システムの左側斜視図である。
【図９】図８に示す独立通路密閉システムの隣接する全高ブランキング・パネルの詳細な斜視図である。
【図１０】図９の線分１０〜１０矢視による全高ブランキング・パネル及びウォール・ビームを表す横断面図である。
【図１１Ａ】最小幅を表すように調整された、図９の線１１〜１１矢視による全高ブランキング・パネルの横断面図である。
【図１１Ｂ】図９の線分１１〜１１矢視による全高ブランキング・パネルの横断面図である。
【図１１Ｃ】最大幅を表すように調整された、図９の線分１１〜１１矢視による全高ブランキング・パネルの横断面図である。
【図１２】図９のウォール・ビームに固定された全高ブランキング・パネルの詳細な部分的斜視図である。
【図１３】図９に示すパネル・クランプ、全高ブランキング・パネル及びウォール・ビームの分解図である。
【図１４】図８の独立通路密閉システムのキャビネット上方ブランキング・パネルを表す詳細な斜視図である。
【図１５】図１４の線分１５〜１５矢視によるキャビネット上方ブランキング・パネルを表す横断面図である。
【図１６】図１４の線分１６〜１６矢視による全高キャビネットの横断面図である。
【図１７Ａ】最小幅を表すように調整された、図１４の線分１７〜１７矢視によるキャビネット上方ブランキング・パネルの横断面図である。
【図１７Ｂ】図１４の線分１７〜１７矢視によるキャビネット上方ブランキング・パネルの横断面図である。
【図１７Ｃ】最大幅を表すように調整された、図１４の線分１７〜１７矢視によるキャビネット上方ブランキング・パネルの横断面図である。
【図１８】暖気通路密閉のために構成された本発明の独立通路密閉システムの斜視図である。
【発明を実施するための形態】
【０００６】
本発明は、独立通路密閉システムを対象とする。独立通路密閉システムは、データセンタ内の暖冷空気を区切る。独立通路密閉システムは、密閉システムの構造を乱すことなく、キャビネットを容易に、データセンタ内の通路へ追加するか、または通路から排除することができる自立型である。
【０００７】
図１〜１７は、冷通路構成に使用される独立通路密閉システム２０を表す。本発明の密閉システム２０は、高さ、幅、及び奥行きが異なる複数のキャビネット５０、６０、７０、及び８０を含む。以下に考察するように、フレームの高さは、密閉システム内に設置される最も高いキャビネットに基づいて選択される。密閉システム内の間隙または開口を塞ぐために、キャビネットに隣接させて且つキャビネットの上方に調節可能なブランキング・パネルが配置される。
【０００８】
密閉システム２０は、ウォール・ビーム２４を有するフレーム２２、ポスト２６、ヘッダ・パネル３０を有する引戸システム２８、及び天井パネル３２を含む。図２〜４は、キャビネットが設置される前の、密閉システム２０のフレーム２２を表す。フレームは、ポスト２６を有する２つの端部、ポスト２６間に配置されたヘッダ・フレーム２９、及びそれら端部間に配置された２つのウォール・ビーム２４を含む。図３に示すように、ウォール・ビームは、ブラケット２５を介してポストに取り付けられる。ブラケット２５は、密閉システム内に設置されるキャビネットの高さを調整するよう、例えば４２または４５ＲＵの、２つの高さで取り付けてもよい。図４は、フレーム２２が、例えば４８または５２ＲＵ等のより高い構造が必要な場合に使用可能なポスト延長ブラケット２７を有することを表す。したがって、密閉システムの高さは、ブラケット２５または２７の設置により、調節可能である。密閉システムの幅は、ヘッダ・フレーム２９の長さを変化させることによって調節することができる。
【０００９】
図９〜１３に示すように、調節可能な全高ブランキング・パネル１００は、床４０から密閉システム２０のウォール・ビーム２４へと延在する。全高ブランキング・パネル１００は、頂部１０２、底部１０４、第１側部または縁１０６、及び、第２側部または縁１０８を含む。全高ブランキング・パネル１００の各々は、半透明波状プラスチックまたは金属薄板から構築される。全高ブランキング・パネル１００は、パネル１００の各々の側部１０６、１０８に沿って配置される鉛直スチフナまたはフレーム１１０を含む。鉛直スチフナ１１０は、ボルトまたはリベット等の締結具１１４で、全高ブランキング・パネル１００に固定される。鉛直スチフナ１１０は、全高ブランキング・パネル１００の全高を延長する。鉛直スチフナ１１０の各々は、全高ブランキング・パネル１００を配置するためのハンドルとして機能する外方延在フランジ１１２を含む。全高ブランキング・パネル１００は、隣接する全高ブランキング・パネル１００の外方延在フランジ１１２が反対方向へ延在するよう、密閉システム２０内に設置される（図１１Ａ〜Ｃを参照）。
【００１０】
図９及び１０に示すように、データセンタの床４０には、チャネル１２０またはトラックが固定される。チャネル１２０の幅は、相互に隣接して配置された２つの全高ブランキング・パネル１００を収容するよう設計される。全高ブランキング・パネル１００の底部１０４は、チャネル１２０内に配置されて、相互に対して摺動自在である。したがって、図１１Ａ〜Ｃに示すように、全高ブランキング・パネル１００は、密閉システム２０の開放空間を塞ぐように相互に対して摺動する。図１１Ｂは、図９の隣接する全高ブランキング・パネル１００を表す横断面図を示す。
【００１１】
図１１Ａは、隣接する全高ブランキング・パネル１００が、相互に隣接して配置された全高ブランキング・パネル１００の各々の側部１０６、１０８に沿う鉛直スチフナ１１０で提供することができる最小幅を表す。図１１Ｃは、隣接する全高ブランキング・パネル１００が、相互に隣接して配置された隣接する全高ブランキング・パネル１００の両側１０６、１０８に沿って配置された鉛直スチフナ１１０で提供することができる最大幅を表す。
【００１２】
図１０、１２、及び１３は、ウォール・ビーム２４、パネル・クランプ１３０、フラップ・シール１５０及び全高ブランキング・パネル１００を表す詳細図である。パネル・クランプ１３０は、ボルト等の締結具１４０を介して、密閉システム２０のウォール・ビーム２４に固定される。パネル・クランプ１３０は、締結具１４０を受けるための細長い開口１３４を有する第１端部１３２、及び角度付きフランジ１３８を有する第２端部１３６を含む。以下に考察するように、角度付きフランジ１３８は、フラップ・シール１５０を受けるように設計される。
【００１３】
図１０及び１２に示すように、相互に位置ずれ配置されたブランキング・パネル１００は、上方に摺動して、ウォール・ビーム２４とパネル・クランプ１３０との間のスロット１４２内へ入る。
【００１４】
フラップ・シール１５０は、全高ブランキング・パネル１００とパネル・クランプ１３０との間の任意の開口を密閉する。フラップ・シール１５０はまた、ブランキング・パネル１００、２００が密閉システム２０内に設置されるときに、振動音を発生させるのを阻止する。各フラップ・シール１５０は、第１の自由端１５２及び第２端部１５４を有するゴム部品である。フラップ・シール１５０の第２端部１５４は、パネル・クランプ１３０の第２端部１３６にあるフランジ１３８を受けるように構成されているＵ型チャネル１５６を含む。図１０及び１２に示すように、パネル・クランプ１３０にフラップ・シール１５０を固定するよう、フラップ・シール１５０は、パネル・クランプ１３０の第２端部１３６にあるフランジ１３８上へ摺動する。その結果、密閉システム２０の全高ブランキング・パネル１００とウォール・ビーム２４との間の開口が密閉される。
【００１５】
図１４及び１６は、キャビネット６０、及びキャビネットの頂部に接触して密封するフラップ・シール１５０示す。先に述べたように、密閉システムにおけるフレームの高さは、密閉システム内に設置された最も高いキャビネットに基づく。調節可能なキャビネット上方ブランキング・パネル２００は、密閉システムにおけるフレームの高さ及び最も高いキャビネットの高さよりも低い高さのキャビネット５０及び７０と共に使用される。調節可能なキャビネット上方ブランキング・パネル２００を、図１４、１５、及び１７に示す。キャビネット上方ブランキング・パネル２００は、頂部２０２、底部２０４、第１側部２０６及び第２側部２０８を含む。キャビネット上方ブランキング・パネル２００は、半透明波状プラスチックから作製される。キャビネット上方ブランキング・パネル２００は、全高ブランキング・パネル１００に比べて短いパネルであるため、鉛直スチフナを必要としない。
【００１６】
図１５に示すように、キャビネット上方ブランキング・パネル２００の底部２０４を受けるために、キャビネット５０及び７０の頂部には、チャネル２２０が固定される。チャネル２２０の幅は、相互に隣接して配置された２つのキャビネット上方ブランキング・パネル２００を受けるように設計される。
【００１７】
図１７Ｂは、図１４の隣接するキャビネット上方ブランキング・パネル２００の横断面図を示す。パネル２００は、キャビネット５０、７０とウォール・ビーム２４との間の開放空間を塞ぐために、両側でキャビネット６０、８０に係合するように配置されるまで、チャネル２２０内で摺動する。図１７Ａは、キャビネット間の最小幅を拡張するように調節された２つのキャビネット上方ブランキング・パネル２００の横断面図を示す。図１７Ｃは、キャビネット間の最大幅まで拡張するように調節された２つのキャビネット上方ブランキング・パネル２００の横断面図を示す。
【００１８】
設置中における、開放空間の特定の高さが決定された後、キャビネット上方ブランキング・パネル２００は、その開放空間に対応する高さに、ナイフまたは他のデバイスで切断される。図１５に示すように、キャビネット上方ブランキング・パネル２００は、図１０〜１３に示す全高ブランキング・パネル１００と同様に、パネル・クランプ１３０とウォール・ビーム２４との間を摺動する。パネル・クランプ１３０及びフラップ・シール１５０は、キャビネット上方ブランキング・パネル２００とウォール・ビーム２４との間の任意の開口を密閉する。
【００１９】
図１８は、暖気通路構成に使用される本発明の独立通路密閉システムを表す。全高ブランキング・パネル１００及びキャビネット上方ブランキング・パネル２００は、密閉システム内に設置された既存のキャビネットによって画定された開口領域を密閉するために、上述のように調節することができる。
【００２０】
本発明の独立通路密閉システムは、個々のユーザの必要に適応可能なように多様性がある。独立通路密閉システムは、様々な幅、高さ、奥行き、または製造業者のキャビネットと一緒に使用することができる。独立通路密閉システムは、暖気または冷気通路構成の様々な通路幅を用いて、様々な高さで設置することができる。独立通路密閉システムは、高床またはコンクリート床に設置されてもよい。独立通路密閉システムは、既存データセンタ内の複数列キャビネットの周りに構築されてもよい。
【００２１】
さらに、本発明の特定の好適な実施形態を図示及び説明したが、当業者には、本発明の教示から逸脱することなく、変更及び修正を行うことが可能であることは明らかである。上述の説明文及び添付図面に記載の事項は、説明のためのみに提示されており、制限するものではない。
【符号の説明】
【００２２】
２０  通路密閉システム
２４  ウォール・ビーム
２６  ポスト
２９  ヘッダ・フレーム
５０、６０、７０、８０  キャビネット
１００  ブランキング・パネル
１１０  鉛直スチフナ
【図１】
0006397043.tif 000002
【図２】
0006397043.tif 000003
【図３】
0006397043.tif 000004
【図４】
0006397043.tif 000005
【図５】
0006397043.tif 000006
【図６】
0006397043.tif 000007
【図７】
0006397043.tif 000008
【図８】
0006397043.tif 000009
【図９】
0006397043.tif 000010
【図１０】
0006397043.tif 000011
【図１１Ａ】
0006397043.tif 000012
【図１１Ｂ】
0006397043.tif 000013
【図１１Ｃ】
0006397043.tif 000014
【図１２】
0006397043.tif 000015
【図１３】
0006397043.tif 000016
【図１４】
0006397043.tif 000017
【図１５】
0006397043.tif 000018
【図１６】
0006397043.tif 000019
【図１７Ａ】
0006397043.tif 000020
【図１７Ｂ】
0006397043.tif 000021
【図１７Ｃ】
0006397043.tif 000022
【図１８】
0006397043.tif 000023